(57)【要約】【課題】  受信特性が良好／不良のいずれにも対応でき、かつ受信特性が良好なときに消費電力を低減する。【解決手段】  受信信号をリミッタを用いて変調に対応したディジタル信号に変換する簡易ＲＦ受信回路と、簡易ＲＦ受信回路から出力されるディジタル信号をシリアルデータ処理し、そのシリアルデータから伝送データを再生する簡易ベースバンド処理回路と、受信信号の受信特性を判定し、受信特性良好と判定された場合にＲＦ受信回路、ベースバンド処理回路の動作を停止させ、簡易ＲＦ受信回路、簡易ベースバンド処理回路を動作させる制御する制御信号を出力し、受信特性不良と判定された場合に簡易ＲＦ受信回路、簡易ベースバンド処理回路の動作を停止させ、ＲＦ受信回路、ベースバンド処理回路を動作させる制御信号を出力する受信処理制御手段とを備える。【選択図】        図１
2008244593.tif 000002
【特許請求の範囲】
【請求項１】
変調された受信信号を検波し、さらにディジタル信号に変換する少なくとも１つのＡ／Ｄ（アナログ／ディジタル）変換器を備えたＲＦ受信回路と、
前記ＲＦ受信回路から出力されるディジタル信号をパラレルデータ処理し、そのパラレルデータから伝送データを再生するベースバンド処理回路と
を備えたディジタル無線受信装置において、
前記受信信号をリミッタを用いて変調に対応したディジタル信号に変換する簡易ＲＦ受信回路と、
簡易ＲＦ受信回路から出力されるディジタル信号をシリアルデータ処理し、そのシリアルデータから伝送データを再生する簡易ベースバンド処理回路と、
前記受信信号の受信特性を判定し、受信特性良好と判定された場合に前記ＲＦ受信回路および前記ベースバンド処理回路の動作を停止させ、前記簡易ＲＦ受信回路および前記簡易ベースバンド処理回路を動作させて受信処理を行うように制御する制御信号を出力し、受信特性不良と判定された場合に前記簡易ＲＦ受信回路および前記簡易ベースバンド処理回路の動作を停止させ、前記ＲＦ受信回路および前記ベースバンド処理回路を動作させて受信処理を行うように制御する制御信号を出力する受信処理制御手段と
を備えたことを特徴とするディジタル無線受信装置。
【請求項２】
変調された受信信号を検波し、さらにディジタル信号に変換する少なくとも１つのＡ／Ｄ（アナログ／ディジタル）変換器を備えたＲＦ受信回路と、
前記ＲＦ受信回路から出力されるディジタル信号を入力し、伝送データの振幅・位相変動量を推定し、補正する処理を行うチャネル推定・補正回路と、チャネル補正された伝送データの誤り訂正を行う誤り訂正回路との少なくとも１つを含み、前記ディジタル信号から伝送データを再生するベースバンド処理回路と
を備えたディジタル無線受信装置において、
前記Ａ／Ｄ変換器はビット数を可変とし、前記チャネル推定・補正回路はチャネル推定に用いる観測データ数を可変とし、前記誤り訂正回路は処理ビット数を可変とし、前記ＲＦ受信回路および前記ベースバンド処理回路は処理レートを可変とし、
前記受信信号の受信特性を判定し、受信特性良好と判定された場合に前記Ａ／Ｄ変換器のビット数、前記チャネル推定・補正回路でチャネル推定に用いる観測データ数、前記誤り訂正回路の処理ビット数が、前記ＲＦ受信回路および前記ベースバンド処理回路の処理レートが小さくなるように設定し、受信特性不良と判定された場合に前記ビット数、前記既知データ数、前記処理ビット数、前記処理レートが大きくなるように設定する制御信号を出力する受信処理制御手段を備えた
ことを特徴とするディジタル無線受信装置。
【請求項３】
請求項１または請求項２に記載のディジタル無線受信装置において、
前記受信処理制御手段は、前記受信信号の受信レベルを検出して所定値と比較し、受信レベルが所定値よりも高い場合に受信特性良好と判定し、受信レベルが所定値より低い場合に受信特性不良と判定し、それぞれに対応する前記制御信号を出力する構成である
ことを特徴とするディジタル無線受信装置。
【請求項４】
請求項１に記載のディジタル無線受信装置において、
前記受信処理制御手段は、前記簡易ベースバンド処理回路からＣＲＣエラー情報を入力して所定値と比較し、ＣＲＣエラーが所定値よりも小さい場合に受信特性良好と判定し、ＣＲＣエラーが所定値よりも大きい場合に受信特性不良と判定し、それぞれに対応する前記制御信号を出力する構成である
ことを特徴とするディジタル無線受信装置。
【請求項５】
請求項１に記載のディジタル無線受信装置において、
前記受信処理制御手段は、前記ベースバンド処理回路のＣＲＣエラー情報および前記簡易ベースバンド処理回路のＣＲＣエラー情報を入力し、各ＣＲＣエラーの差が所定値よりも小さい場合に受信特性良好と判定し、各ＣＲＣエラーの差が所定値よりも大きい場合に受信特性不良と判定し、それぞれに対応する前記制御信号を出力する構成である
ことを特徴とするディジタル無線受信装置。
【請求項６】
請求項１に記載のディジタル無線受信装置において、
前記受信処理制御手段は、前記ベースバンド処理回路で処理された復号データおよび前記簡易ベースバンド処理回路で処理された復号データを入力して比較し、復号データの一致度が所定値よりも高い場合に受信特性良好と判定し、復号データの一致度が所定値よりも低い場合に受信特性不良と判定し、それぞれに対応する前記制御信号を出力する構成である
ことを特徴とするディジタル無線受信装置。
【請求項７】
請求項１に記載のディジタル無線受信装置において、
前記受信処理制御手段は、請求項３に記載の受信レベル、請求項４に記載のＣＲＣエラー、請求項５に記載の各ＣＲＣエラーの差、請求項６に記載の復号データの一致度の少なくとも２つを用い、その内の１つで前記受信特性良好と判定されたときに、対応する前記制御信号を出力する構成である
ことを特徴とするディジタル無線受信装置。
【請求項８】
請求項１に記載のディジタル無線受信装置において、
前記受信処理制御手段は、請求項３に記載の受信レベル、請求項４に記載のＣＲＣエラー、請求項５に記載の各ＣＲＣエラーの差、請求項６に記載の復号データの一致度の少なくとも２つを用い、そのすべてで前記受信特性良好と判定されたときに、対応する前記制御信号を出力する構成である
ことを特徴とするディジタル無線受信装置。
【請求項９】
請求項２に記載のディジタル無線受信装置において、
前記受信処理制御手段は、前記ベースバンド処理回路からＣＲＣエラー情報を入力して所定値と比較し、ＣＲＣエラーが所定値よりも小さい場合に受信特性良好と判定し、ＣＲＣエラーが所定値よりも大きい場合に受信特性不良と判定し、それぞれに対応する前記制御信号を出力する構成である
ことを特徴とするディジタル無線受信装置。
【請求項１０】
請求項２に記載のディジタル無線受信装置において、
前記受信処理制御手段は、請求項３に記載の受信レベルと、請求項９に記載のＣＲＣエラーを用い、その内の１つで前記受信特性良好と判定されたときに、対応する前記制御信号を出力する構成である
ことを特徴とするディジタル無線受信装置。
【請求項１１】
請求項２に記載のディジタル無線受信装置において、
前記受信処理制御手段は、請求項３に記載の受信レベルと、請求項９に記載のＣＲＣエラーを用い、その両方で前記受信特性良好と判定されたときに、対応する前記制御信号を出力する構成である
ことを特徴とするディジタル無線受信装置。
【発明の詳細な説明】
【技術分野】
【０００１】
本発明は、ＲＦ受信回路およびベースバンド処理回路を含むディジタル無線受信装置において、受信特性が良好のときに消費電力の低減を図るディジタル無線受信装置に関する。
【背景技術】
【０００２】
図５は、従来のディジタル無線受信装置の一般的な構成例を示す（非特許文献１）。
図において、アンテナ１１に受信する振幅位相変調された受信信号は、中間周波数変換器などを含む無線受信回路（ＲＸ）１２を介して中間周波数信号に変換された後に、ＲＦ受信回路２０に入力される。ＲＦ受信回路２０は、直交検波器２１、フィルタやＡＧＣ（自動利得制御）回路（図示せず）、Ａ／Ｄ（アナログ／ディジタル）変換器２２−１，２２−２を含み、直交検波された水平成分のＩ信号および直交成分のＱ信号をディジタル信号に変換してベースバンド処理回路３０に出力する。ベースバンド処理回路３０では、変調信号を復調し、必要に応じて誤り訂正を行って伝送データを再生する。特に、チャネル推定・補正回路３１はマルチパス伝搬環境下の伝送路で歪んだ伝送データの振幅・位相変動量を推定し、補正する処理を行う。ビタビ復号器３２は、振幅・位相補正された伝送データを入力し、送信側で付加された冗長データを用いて伝送データの誤り訂正を行う。なお、ＲＦ受信回路２０は、直交検波器２１を用いず１つのＡ／Ｄ変換器を備え、ベースバンド処理回路３０でＩ，Ｑ成分を分解して伝送データを再生する構成としてもよい。
【０００３】
このような構成のディジタル無線受信装置において、ＲＦ受信回路２０はＡＧＣ回路やＡ／Ｄ変換器２２を必要として消費電力が大きい。ベースバンド処理回路３０は、パラレルビットで表現されたＩ，Ｑ信号を入力し、その位相・振幅情報から所定の計算式によって伝送データを再生する構成であり、複雑な計算を行うために必要なゲート数も大きくかつ消費電力も大きい。
【０００４】
図６は、従来のディジタル無線受信装置の簡易な構成例を示す。本装置は、振幅位相変調された受信信号を入力し、位相変調のみに対応してリミッタによりディジタル化し、位相変動のみから伝送データを再生する構成であり、簡易な構成によって消費電力が小さくなっている。
【０００５】
図において、簡易ＲＦ受信回路４０は、ミキサ４１、フィルタ４２およびリミッタ４３を用いて振幅位相変調された受信信号をディジタル化する構成であり、Ａ／Ｄ変換器が不要のため消費電力は小さい。簡易ベースバンド処理回路５０としては、特許文献１に記載のディジタル復調器を利用することができる。例えば、１ビット信号に対する硬判定検波回路５１およびビタビ復号器５２が用いてシリアルデータ処理を行う構成であり、ゲート数が少なく消費電力も小さい。
【特許文献１】特開平３−２０５９４０号公報
【特許文献２】特開２００３−２３３７８７号公報
【非特許文献１】守倉正博、久保田周治監修、「802.11高速無線ＬＡＮ教科書」、p.155 、インプレス
【発明の開示】
【発明が解決しようとする課題】
【０００６】
図５に示すＲＦ受信回路２０およびベースバンド処理回路３０を用いたディジタル無線受信装置は、図６に示す簡易ＲＦ受信回路４０および簡易ベースバンド処理回路５０を用いたディジタル無線受信装置に比べて高性能であり、受信特性が不良の場合にも受信処理が可能であるが、消費電力が大きい問題がある。そのため、従来はそれぞれの用途に応じて、高性能なディジタル無線受信装置を用いるか、簡易なディジタル無線受信装置を用いるか使い分けられていた。しかし、予め両装置を備え、例えば受信レベルが高いなど、受信特性が良好な場合に簡易なディジタル無線受信装置に切り換えて消費電力を低減するなどの構成は考えられていなかった。
【０００７】
また、高性能なディジタル無線受信装置において、処理ビット数やベースバンド処理回路のチャネル推定に用いる既知データ数などを小さくすることによっても消費電力の低減が可能であるが、受信特性が良好な場合にそれらを小さくする構成も考えられていなかった。
【０００８】
なお、特許文献２には、複数の通信インタフェースを有し、送受信装置間で通信方式を切り替えながら探索して接続を確立する方法などが開示されているが、これは必ずしも消費電力の低減を目的としたものではない。
【０００９】
本発明は、受信特性が良好／不良のいずれにも対応でき、かつ受信特性が良好なときに消費電力を低減することができるディジタル無線受信装置を提供することを目的とする。
【課題を解決するための手段】
【００１０】
第１の発明は、変調された受信信号を検波し、さらにディジタル信号に変換する少なくとも１つのＡ／Ｄ変換器を備えたＲＦ受信回路と、ＲＦ受信回路から出力されるディジタル信号をパラレルデータ処理し、そのパラレルデータから伝送データを再生するベースバンド処理回路とを備えたディジタル無線受信装置において、受信信号をリミッタを用いて変調に対応したディジタル信号に変換する簡易ＲＦ受信回路と、簡易ＲＦ受信回路から出力されるディジタル信号をシリアルデータ処理し、そのシリアルデータから伝送データを再生する簡易ベースバンド処理回路と、受信信号の受信特性を判定し、受信特性良好と判定された場合にＲＦ受信回路およびベースバンド処理回路の動作を停止させ、簡易ＲＦ受信回路および簡易ベースバンド処理回路を動作させて受信処理を行うように制御する制御信号を出力し、受信特性不良と判定された場合に簡易ＲＦ受信回路および簡易ベースバンド処理回路の動作を停止させ、ＲＦ受信回路およびベースバンド処理回路を動作させて受信処理を行うように制御する制御信号を出力する受信処理制御手段とを備える。
【００１１】
第２の発明は、変調された受信信号を検波し、さらにディジタル信号に変換する少なくとも１つのＡ／Ｄ変換器を備えたＲＦ受信回路と、ＲＦ受信回路から出力されるディジタル信号を入力し、伝送データの振幅・位相変動量を推定し、補正する処理を行うチャネル推定・補正回路と、チャネル補正された伝送データの誤り訂正を行う誤り訂正回路との少なくとも１つを含み、ディジタル信号から伝送データを再生するベースバンド処理回路とを備えたディジタル無線受信装置において、Ａ／Ｄ変換器はビット数を可変とし、チャネル推定・補正回路はチャネル推定に用いる観測データ数を可変とし、誤り訂正回路は処理ビット数を可変とし、ＲＦ受信回路およびベースバンド処理回路は処理レートを可変とし、受信信号の受信特性を判定し、受信特性良好と判定された場合にＡ／Ｄ変換器のビット数、チャネル推定・補正回路でチャネル推定に用いる観測データ数、誤り訂正回路の処理ビット数が、ＲＦ受信回路およびベースバンド処理回路の処理レートが小さくなるように設定し、受信特性不良と判定された場合にビット数、既知データ数、処理ビット数、処理レートが大きくなるように設定する制御信号を出力する受信処理制御手段を備える。
【００１２】
第１または第２の発明において、受信処理制御手段は、受信信号の受信レベルを検出して所定値と比較し、受信レベルが所定値よりも高い場合に受信特性良好と判定し、受信レベルが所定値より低い場合に受信特性不良と判定し、それぞれに対応する制御信号を出力する構成としてもよい。
【００１３】
第１の発明における受信処理制御手段は、簡易ベースバンド処理回路からＣＲＣエラー情報を入力して所定値と比較し、ＣＲＣエラーが所定値よりも小さい場合に受信特性良好と判定し、ＣＲＣエラーが所定値よりも大きい場合に受信特性不良と判定し、それぞれに対応する制御信号を出力する構成としてもよい。また、受信処理制御手段は、ベースバンド処理回路のＣＲＣエラー情報および簡易ベースバンド処理回路のＣＲＣエラー情報を入力し、各ＣＲＣエラーの差が所定値よりも小さい場合に受信特性良好と判定し、各ＣＲＣエラーの差が所定値よりも大きい場合に受信特性不良と判定し、それぞれに対応する制御信号を出力する構成としてもよい。また、受信処理制御手段は、ベースバンド処理回路で処理された復号データおよび簡易ベースバンド処理回路で処理された復号データを入力して比較し、復号データの一致度が所定値よりも高い場合に受信特性良好と判定し、復号データの一致度が所定値よりも低い場合に受信特性不良と判定し、それぞれに対応する制御信号を出力する構成としてもよい。
【００１４】
また、第１の発明における受信処理制御手段は、受信レベル、簡易ベースバンド処理回路のＣＲＣエラー、ベースバンド処理回路および簡易ベースバンド処理回路の各ＣＲＣエラーの差、復号データの一致度の少なくとも２つを用い、その内の１つで受信特性良好と判定されたときに、対応する制御信号を出力する構成としてもよい。また、第１の発明において、受信処理制御手段は、受信レベル、簡易ベースバンド処理回路のＣＲＣエラー、ベースバンド処理回路および簡易ベースバンド処理回路の各ＣＲＣエラーの差、復号データの一致度の少なくとも２つを用い、そのすべてで受信特性良好と判定されたときに、対応する制御信号を出力する構成としてもよい。
【００１５】
また、第２の発明における受信処理制御手段は、ベースバンド処理回路からＣＲＣエラー情報を入力して所定値と比較し、ＣＲＣエラーが所定値よりも小さい場合に受信特性良好と判定し、ＣＲＣエラーが所定値よりも大きい場合に受信特性不良と判定し、それぞれに対応する制御信号を出力する構成としてもよい。
【００１６】
また、第２の発明における受信処理制御手段は、受信レベルと、ベースバンド処理回路のＣＲＣエラーを用い、その内の１つで受信特性良好と判定されたときに、対応する制御信号を出力する構成としてもよい。また、第２の発明における受信処理制御手段は、受信レベルと、ベースバンド処理回路のＣＲＣエラーを用い、その両方で受信特性良好と判定されたときに、対応する制御信号を出力する構成としてもよい。
【発明の効果】
【００１７】
第１の発明は、受信特性良好と判定された場合に、消費電力が大きいＲＦ受信回路およびベースバンド処理回路の動作を停止させ、消費電力が小さい簡易ＲＦ受信回路および簡易ベースバンド処理回路を用いて受信処理を行うことにより、ディジタル無線受信装置の消費電力を低減することができる。
【００１８】
第２の発明は、受信特性が良好と判定された場合に、ＲＦ受信回路のＡ／Ｄ変換器のビット数の低減、ベースバンド処理回路のチャネル推定・補正回路のチャネル推定方式を簡易方式に変更、誤り訂正回路の処理ビット数の低減、ＲＦ受信回路およびベースバンド処理回路の処理レートの低減により、ディジタル処理の頻度が減少してディジタル無線受信装置の消費電力を低減することができる。
【発明を実施するための最良の形態】
【００１９】
（第１の実施形態）
図１は、本発明のディジタル無線受信装置の第１の実施形態を示す。
本実施形態のディジタル無線受信装置の特徴は、図５に示すＲＦ受信回路２０およびベースバンド処理回路３０と、図６に示す簡易ＲＦ受信回路４０および簡易ベースバンド処理回路５０を備え、受信特性に応じて両者を使い分け、消費電力をコントロールするところにある。
【００２０】
図において、アンテナ１１に受信する振幅位相変調された受信信号は、無線受信回路（ＲＸ）１２を介してＲＦ受信回路２０および簡易ＲＦ受信回路４０に入力される。ＲＦ受信回路２０は、直交検波器２１で受信信号をＩ信号およびＱ信号に分解し、Ａ／Ｄ変換器２２−１，２２−２でそれぞれディジタルデータに変換してベースバンド処理回路３０に入力する。ベースバンド処理回路３０は、Ｉ，Ｑ信号の位相・振幅情報から所定の計算式によって伝送データを再生する。なお、ＲＦ受信回路２０は、直交検波器２１を用いず１つのＡ／Ｄ変換器を備え、ベースバンド処理回路３０でＩ，Ｑ成分を分解して伝送データを再生する構成としてもよい。一方、簡易ＲＦ受信回路４０は、位相変調のみに対応して受信信号をディジタル化して簡易ベースバンド処理回路５０に入力し、簡易ベースバンド処理回路５０は位相の変動のみから伝送データを再生する。
【００２１】
受信処理制御部６１は、無線受信回路１２で検出される受信レベル、ベースバンド処理回路３０，５０でそれぞれ検出されるＣＲＣエラー情報、復号データの少なくとも１つを入力し、それらが示す受信特性に応じてＲＦ受信回路２０およびベースバンド処理回路３０を動作させるか、簡易ＲＦ受信回路４０および簡易ベースバンド処理回路５０を動作させるか、受信処理系を選択する制御を行う。
【００２２】
例えば、受信処理制御部６１は、受信レベルが所定値よりも高い場合には、受信特性が良好としてＲＦ受信回路２０およびベースバンド処理回路３０をオフとし、簡易ＲＦ受信回路４０および簡易ベースバンド処理回路５０をオンとするオン／オフ制御信号を出力する。一方、受信レベルが所定値よりも低い場合には、逆に受信特性が不良としてＲＦ受信回路２０およびベースバンド処理回路３０をオンとし、簡易ＲＦ受信回路４０および簡易ベースバンド処理回路５０をオフとするオン／オフ制御信号を出力する。
【００２３】
また、受信処理制御部６１は、簡易ベースバンド処理回路５０のＣＲＣエラーが所定値よりも小さい場合、またはベースバンド処理回路３０および簡易ベースバンド処理回路５０の各ＣＲＣエラーの差が所定値よりも小さい（両者のＣＲＣエラーが同程度の）場合には、受信特性が良好として簡易ＲＦ受信回路４０および簡易ベースバンド処理回路５０がオンとなるように制御する。また、これらのＣＲＣエラーが逆の状況から受信特性不良と判定された場合には、ＲＦ受信回路２０およびベースバンド処理回路３０がオンとなるように制御する。
【００２４】
また、受信処理制御部６１は、ベースバンド処理回路３０および簡易ベースバンド処理回路５０の復号データを比較し、その一致度が所定値よりも高い場合には、受信特性が良好として簡易ＲＦ受信回路４０および簡易ベースバンド処理回路５０がオンとなるように制御する。また、逆に復号データの一致度が所定値よりも低く受信特性不良と判定された場合には、ＲＦ受信回路２０およびベースバンド処理回路３０がオンとなるように制御する。
【００２５】
ここで、受信処理制御部６１は、受信特性として受信レベル、ＣＲＣエラー、復号データのいずれかを用いて選択制御を行う構成、あるいは２以上の受信特性を用い、少なくとも１つの受信特性に応じるオア条件、またはすべての受信特性に応じるアンド条件により選択制御を行う構成としてもよい。いずれにしても、受信特性良好と判定された場合には、消費電力が大きいＲＦ受信回路２０およびベースバンド処理回路３０の動作を停止させ、消費電力が小さい簡易ＲＦ受信回路４０および簡易ベースバンド処理回路５０を用いて受信処理を行うことにより、ディジタル無線受信装置の消費電力を低減することができる。
【００２６】
（第２の実施形態）
図２は、本発明のディジタル無線受信装置の第２の実施形態を示す。
本実施形態のディジタル無線受信装置の特徴は、図５に示すＲＦ受信回路２０およびベースバンド処理回路３０と同様の構成をとりながら、ＲＦ受信回路２０のＡ／Ｄ変換器２３−１，２３−２のビット数を可変とし、ベースバンド処理回路３０のチャネル推定・補正回路３３のチャネル推定方式を可変とし、ビタビ復号器３４の処理ビット数（軟判定ビット数やパス長）を可変とし、受信特性に応じてビット数やチャネル推定方式を選択し、消費電力をコントロールするところにある。さらに、ＲＦ受信回路２０およびベースバンド処理回路３０の処理レートも可変とし、受信特性に応じて処理レートを選択し、消費電力をコントロールするところにある。
【００２７】
ここで、Ａ／Ｄ変換器２３−１，２３−２やビタビ復号器３４は、ビット数を減らした場合に、減らしたビット数に対応して消費電力を低減できる。チャネル推定方式は、既知データの振幅・位相変動量を観測することによりチャネル推定（伝搬特性の推定）が可能であり、さらにチャネル推定に用いる既知データの数を増やして振幅・位相変動量の補間処理などを行うことにより推定精度を高めることができる。したがって、逆にチャネル推定に用いる既知データの数を減らす簡易方式に変更することにより効率よく消費電力を低減できる。詳しくは別途説明する。また、各回路の処理レートを下げた場合も、下げた処理レートに対応して消費電力を低減できる。
【００２８】
なお、本実施形態では、ベースバンド処理回路３０の誤り訂正回路としてビタビ復号器３４を用いる例を示すが、複数ビットで処理を行う誤り訂正回路であればビタビ復号器に限定されない。
【００２９】
図２において、ＲＦ受信回路２０は、アンテナ１１に受信した受信信号を無線受信回路（ＲＸ）１２を介して入力し、Ｉ信号およびＱ信号に分解してそれぞれディジタルデータに変換し、ベースバンド処理回路３０に入力してＩ，Ｑ信号の位相・振幅情報から所定の計算式によって伝送データを再生する。なお、ＲＦ受信回路２０は、直交検波器２１を用いず１つのＡ／Ｄ変換器を備え、ベースバンド処理回路３０でＩ，Ｑ成分を分解して伝送データを再生する構成としてもよい。
【００３０】
受信処理制御部６２は、無線受信回路１２で検出される受信レベル、ベースバンド処理回路３０で検出されるＣＲＣエラー情報の少なくとも１つを入力し、それらの受信特性に応じてＲＦ受信回路２０のＡ／Ｄ変換器２３−１，２３−２のビット数、ベースバンド処理回路３０のチャネル推定・補正回路３３のチャネル推定方式、ビタビ復号器３４の処理ビット数を選択する制御を行う。
【００３１】
例えば、受信処理制御部６２は、受信レベルが所定値よりも高い場合やＣＲＣエラーが所定値よりも小さい場合には、受信特性が良好として、
(1) Ａ／Ｄ変換器２３−１，２３−２のビット数を低減、またはビット数が小さいＡ／Ｄ変換器に切り換え、
(2) チャネル推定・補正回路３３のチャネル推定方式を簡易方式に変更、
(3) ビタビ復号器３４の処理ビット数を低減、
(4) 各回路の処理レートを低減、
などの制御を行う。
【００３２】
ここで、受信処理制御部６２は、受信特性として受信レベル、ＣＲＣエラーのいずれかを用いて制御を行う構成、あるいは両者を用い、その１つの受信特性に応じるオア条件、または両者の受信特性に応じるアンド条件  により制御を行う構成をとるものとする。いずれにしても、受信特性が良好と判定された場合には、Ａ／Ｄ変換器２３−１，２３−２のビット数の低減、ベースバンド処理回路３０のチャネル推定・補正回路３３のチャネル推定方式を簡易方式に変更、ビタビ復号器３４の処理ビット数の低減により、ディジタル処理の頻度が減少してディジタル無線受信装置の消費電力を低減することができる。
【００３３】
（第２の実施形態のチャネル推定・補正回路３１の構成）
図３は、第２の実施形態のチャネル推定・補正回路３３の構成例を示す。
図３において、受信データは、補正回路３３１と、第１のチャネル推定回路３３２および第２のチャネル推定回路３３３に順次入力される。第１のチャネル推定回路３３２は、１つの既知データの振幅・位相変動量に対応するチャネル推定値を出力する。第２のチャネル推定回路３３３は、第１のチャネル推定回路３３２のチャネル推定値を利用し、２つの既知データの振幅・位相変動量を補間したチャネル推定値を出力する。選択回路３３４は、図２に示す受信処理制御部６２から与えられる制御信号に応じて、第１のチャネル推定回路３３２または第２のチャネル推定回路３３３の一方のチャネル推定値を選択し、補正回路３３１に出力する。補正回路３３１は、選択回路３３４から入力するチャネル推定値を用いて、対応する伝送データの振幅・位相変動量を補正して出力する。
【００３４】
なお、フェージングがなく誤りが少ない状況で受信特性良好に対応する制御信号が入力され、第１のチャネル推定回路３３２のチャネル推定値を選択するときは、第２のチャネル推定回路３３３の動作を停止させて消費電力を低減する。一方、フェージングがあり誤りが多い状況で受信特性不良に対応する制御信号が入力される場合は、第２のチャネル推定回路３３３のチャネル推定値を選択する。
【００３５】
ここで、図４を参照してチャネル推定・補正方法の一例について説明する。送信データは、図４(1) に示すように、伝搬路を介して伝送されることにより振幅（図中矢印の長さ）および位相（図中矢印の向き）が変動する。チャネル推定は、既知データの振幅・位相変動量を測定し、その測定値を用いて伝送データの振幅・位相変動量を推定することをいう。
【００３６】
受信データ（送信データ）は、図４(2) に示すように、既知データ１，２，…と伝送データ１，２，…が交互に配置されているものとする。第１のチャネル推定回路３３２および第２のチャネル推定回路３３３では、既知データ１，２の振幅・位相変動量をそれぞれ測定する（図４(3))。次に、既知データ１または既知データ１，２の振幅・位相変動量の測定値を用いて、伝送データ１の振幅・位相変動量の推定を行う（図４(4))。第１のチャネル推定回路３３２では、既知データ１の振幅・位相変動量を次の伝送データ１のチャネル推定値とする。第２のチャネル推定回路３３３は、伝送データ１の前後の既知データ１，２の振幅・位相変動量の補間値を伝送データ１のチャネル推定値とする。
【００３７】
第２の実施形態の受信処理制御部６２は、受信特性の良否に応じて、このいずれかのチャネル推定値を用いて伝送データ１の振幅・位相変動量を補正する。ここで、受信特性が良好の場合には第１のチャネル推定回路３３２を用いるので、第２のチャネル推定回路３３３の動作を停止させることにより、消費電力を低減することができる。
【図面の簡単な説明】
【００３８】
【図１】本発明のディジタル無線受信装置の第１の実施形態を示す図。
【図２】本発明のディジタル無線受信装置の第２の実施形態を示す図。
【図３】第２の実施形態のチャネル推定・補正回路３３の構成例を示す図。
【図４】チャネル推定・補正方法の一例を説明する図。
【図５】従来のディジタル無線受信装置の一般的な構成例を示す図。
【図６】従来のディジタル無線受信装置の簡易な構成例を示す図。
【符号の説明】
【００３９】
１１  アンテナ
１２  無線受信回路（ＲＸ）
２０  ＲＦ受信回路
２１  直交検波器
２２，２３  Ａ／Ｄ（アナログ／ディジタル）変換器
３０  ベースバンド処理回路
３１，３３  チャネル推定・補正回路
３２，３４  ビタビ復号器
４０  簡易ＲＦ受信回路
４１  ミキサ
４２  フィルタ
４３  リミッタ
５０  簡易ベースバンド処理回路
５１  硬判定検波回路
５２  ビタビ復号器
６１，６２  受信処理制御部
３３１  補正回路
３３２  第１のチャネル推定回路
３３３  第２のチャネル推定回路
３３４  選択回路
【図１】
2008244593.tif 000003
【図２】
2008244593.tif 000004
【図３】
2008244593.tif 000005
【図４】
2008244593.tif 000006
【図５】
2008244593.tif 000007
【図６】
2008244593.tif 000008